(57)【要約】【課題】遮断器と変流器と継電器とがそれぞれ別々に取付けて固定されるのに伴って機器の選定および取付けに多大な労力がかかってしまうのを回避すると共に、遮断器と変流器と継電器とが一体化されて受配電設備の内部に配置されるのに伴って受配電設備の操作性が低下してしまうのを回避する。【解決手段】受配電設備５の変流器２を遮断器１に搭載し、遮断器１および変流器２とは別個に継電器３を配置し、遮断器１と継電器３とを接続回路によって接続する。好ましくは、変流比の異なる複数の巻線を変流器２に内蔵し、複数のタップを設け、タップ切換えスイッチ１−２を遮断器１に配置する。更に好ましくは、接続回路を切断するための回路切換えスイッチ１−３を遮断器１に配置する。【選択図】図１
2005210880.tif 000002
【特許請求の範囲】
【請求項１】
遮断器と、変流器と、継電器とを具備する受配電設備において、前記変流器を前記遮断器に搭載し、前記遮断器および前記変流器とは別個に前記継電器を配置したことを特徴とする受配電設備。
【請求項２】
変流比の異なる複数の巻線を前記変流器に内蔵し、複数のタップを設け、タップ切換えスイッチを前記遮断器に配置したことを特徴とする請求項１に記載の受配電設備。
【請求項３】
前記遮断器と前記継電器とを接続回路によって接続し、前記接続回路を切断するための回路切換えスイッチを前記遮断器に配置したことを特徴とする請求項１又は２に記載の受配電設備。
【請求項４】
前記タップ切換えスイッチによって前記変流器の設定が変更された場合には、前記変流器の設定の変更を前記継電器において検知し、前記変流器の設定の変更に連動して前記継電器の設定を変更することを特徴とする請求項２に記載の受配電設備。
【請求項５】
前記継電器の動作確認を行うための試験端子の端子台を設け、前記端子台を複数端子一体形のコネクタにより構成したことを特徴とする請求項１〜４のいずれか一項に記載の受配電設備。
【請求項６】
前記タップ切換えスイッチ、前記回路切換えスイッチ、および、前記試験端子を覆うためのカバーを設け、前記カバーを施錠するための錠を設けたことを特徴とする請求項５に記載の受配電設備。
【請求項７】
前記回路切換えスイッチが回路切断状態になっている時には前記カバーを閉めることができないように前記回路切換えスイッチおよび前記カバーを構成したことを特徴とする請求項６に記載の受配電設備。
【請求項８】
タップ切換えスイッチ、回路切換えスイッチ、前記試験端子、前記カバー、および、前記錠を前記継電器に配置したことを特徴とする請求項６又は７に記載の受配電設備。
【請求項９】
前記遮断器の通電方向の設定するための設定手段を前記継電器に設けたことを特徴とする請求項１〜８のいずれか一項に記載の受配電設備。
【請求項１０】
前記遮断器の通電方向に対して前記変流器の極性が反対になっている場合には、前記継電器の内部において、前記変流器からの電流信号の極性を反転させることを特徴とする請求項９に記載の受配電設備。
【請求項１１】
前記継電器が、前記変流器からの電流信号の極性を反転させるための選択回路を有することを特徴とする請求項１０に記載の受配電設備。
【請求項１２】
前記遮断器の通電方向と前記変流器の極性が同一の場合には、スイッチによって第１回路を選択して、前記変流器からの信号をそのまま維持し、前記遮断器の通電方向に対して前記変流器の極性が反対になっている場合には、前記スイッチによって第２回路を選択し、オペアンプによって前記変流器からの信号を反転させることを特徴とする請求項１１に記載の受配電設備。
【請求項１３】
前記継電器が、前記変流器からの電流信号の極性を反転させるための演算手段を有することを特徴とする請求項１０に記載の受配電設備。
【発明の詳細な説明】
【技術分野】
【０００１】
本発明は、遮断器と、変流器と、継電器とを具備する受配電設備に関し、特には、遮断器と変流器と継電器とがそれぞれ別々に取付けて固定されるのに伴って機器の選定および取付けに多大な労力がかかってしまうのを回避すると共に、遮断器と変流器と継電器とが一体化されて受配電設備の内部に配置されるのに伴って受配電設備の操作性が低下してしまうのを回避することができる受配電設備に関する。
【０００２】
詳細には、本発明は、高圧受配電設備に使用される高圧遮断器、変流器、および、保護継電器の組み合わせの構成および構造に関する。
【背景技術】
【０００３】
従来の一般的な方式では、高圧遮断器、変流器、および、保護継電器の組み合わせの構成が、個々に選定され、それぞれ別々に受配電設備に取付けられて固定されていた。特に、変流器は、受配電設備の保護する回路の通電電流毎に選定しなければならず、変流器の種類が多くなっている。
【０００４】
また、別の従来方式（特開昭５８−２２０３２２号公報参照）では、遮断器、変流器、過電流保護継電器が一体形となっている。
【０００５】
【特許文献１】特開昭５８−２２０３２２号公報
【発明の開示】
【発明が解決しようとする課題】
【０００６】
従来の一般的な方式では、高圧遮断器、変流器、および、保護継電器の組み合わせの構成が、個々に選定され、それぞれ別々に受配電設備に取付けられて固定されていたので、機器の選定、取付けに多大な労力がかかってしまう。特に、変流器は受配電設備の保護する回路の通電電流毎に選定しなければならず、変流器の種類が多くなっているため、選定間違いのおそれがあり、取付け後の仕様変更に伴う変流器の交換が大変であるという問題があった。
【０００７】
また、別の従来方式（特開昭５８−２２０３２２号公報参照）では、遮断器、変流器、過電流保護継電器が一体形となっているため、遮断器が受配電設備の内部に配置されてしまう。つまり、受配電設備の扉が閉じられて、外側から受配電設備の内部が見えない状態においては、保護継電器の表面を見たり、操作したりする時に、受配電設備の扉を開けなければならないという問題があった。
【０００８】
更に別の従来方式（特開昭５８−２２０３２２号公報参照）では、保護継電器の動作確認試験において、保護継電器が動作した場合に、引外し指令が出て、遮断器が開路動作してしまう構成となっていた。つまり、受配電設備を運転状態で停電せずに保護継電器だけの動作確認をしようとしても、引外し指令が出て、遮断器が開路動作してしまうという問題があった。
【０００９】
また、従来の方式では、保護継電器の動作確認用試験端子が端子台となっており、試験対象器が複数あると、端子台接続の着脱に時間がかかってしまい、試験時間の時間短縮の妨げとなっていた。
【００１０】
前記問題点に鑑み、本発明は、遮断器と変流器と継電器とがそれぞれ別々に取付けて固定されるのに伴って機器の選定および取付けに多大な労力がかかってしまうのを回避すると共に、遮断器と変流器と継電器とが一体化されて受配電設備の内部に配置されるのに伴って受配電設備の操作性が低下してしまうのを回避することができる受配電設備を提供することを目的とする。
【課題を解決するための手段】
【００１１】
請求項１に記載の発明によれば、遮断器と、変流器と、継電器とを具備する受配電設備において、前記変流器を前記遮断器に搭載し、前記遮断器および前記変流器とは別個に前記継電器を配置したことを特徴とする受配電設備が提供される。
【００１２】
請求項２に記載の発明によれば、変流比の異なる複数の巻線を前記変流器に内蔵し、複数のタップを設け、タップ切換えスイッチを前記遮断器に配置したことを特徴とする請求項１に記載の受配電設備が提供される。
【００１３】
請求項３に記載の発明によれば、前記遮断器と前記継電器とを接続回路によって接続し、前記接続回路を切断するための回路切換えスイッチを前記遮断器に配置したことを特徴とする請求項１又は２に記載の受配電設備が提供される。
【００１４】
請求項４に記載の発明によれば、前記タップ切換えスイッチによって前記変流器の設定が変更された場合には、前記変流器の設定の変更を前記継電器において検知し、前記変流器の設定の変更に連動して前記継電器の設定を変更することを特徴とする請求項２に記載の受配電設備が提供される。
【００１５】
請求項５に記載の発明によれば、前記継電器の動作確認を行うための試験端子の端子台を設け、前記端子台を複数端子一体形のコネクタにより構成したことを特徴とする請求項１〜４のいずれか一項に記載の受配電設備が提供される。
【００１６】
請求項６に記載の発明によれば、前記タップ切換えスイッチ、前記回路切換えスイッチ、および、前記試験端子を覆うためのカバーを設け、前記カバーを施錠するための錠を設けたことを特徴とする請求項５に記載の受配電設備が提供される。
【００１７】
請求項７に記載の発明によれば、前記回路切換えスイッチが回路切断状態になっている時には前記カバーを閉めることができないように前記回路切換えスイッチおよび前記カバーを構成したことを特徴とする請求項６に記載の受配電設備が提供される。
【００１８】
請求項８に記載の発明によれば、タップ切換えスイッチ、回路切換えスイッチ、前記試験端子、前記カバー、および、前記錠を前記継電器に配置したことを特徴とする請求項６又は７に記載の受配電設備が提供される。
【００１９】
請求項９に記載の発明によれば、前記遮断器の通電方向の設定するための設定手段を前記継電器に設けたことを特徴とする請求項１〜８のいずれか一項に記載の受配電設備が提供される。
【００２０】
請求項１０に記載の発明によれば、前記遮断器の通電方向に対して前記変流器の極性が反対になっている場合には、前記継電器の内部において、前記変流器からの電流信号の極性を反転させることを特徴とする請求項９に記載の受配電設備が提供される。
【００２１】
請求項１１に記載の発明によれば、前記継電器が、前記変流器からの電流信号の極性を反転させるための選択回路を有することを特徴とする請求項１０に記載の受配電設備が提供される。
【００２２】
請求項１２に記載の発明によれば、前記遮断器の通電方向と前記変流器の極性が同一の場合には、スイッチによって第１回路を選択して、前記変流器からの信号をそのまま維持し、前記遮断器の通電方向に対して前記変流器の極性が反対になっている場合には、前記スイッチによって第２回路を選択し、オペアンプによって前記変流器からの信号を反転させることを特徴とする請求項１１に記載の受配電設備が提供される。
【００２３】
請求項１３に記載の発明によれば、前記継電器が、前記変流器からの電流信号の極性を反転させるための演算手段を有することを特徴とする請求項１０に記載の受配電設備が提供される。
【発明の効果】
【００２４】
請求項１に記載の受配電設備では、変流器が遮断器に搭載され、遮断器および変流器とは別個に継電器が配置されている。そのため、遮断器と変流器と継電器とがそれぞれ別々に取付けて固定されるのに伴って機器の選定および取付けに多大な労力がかかってしまうのを回避すると共に、遮断器と変流器と継電器とが一体化されて受配電設備の内部に配置されるのに伴って受配電設備の操作性が低下してしまうのを回避することができる。好ましくは、高圧遮断器に異常電流検出用変流器が搭載され、保護用の過電流継電器または過電流継電器、地絡継電器等と表示用計器、伝送機能などの高圧系統の保護機能として必要な機能を複合化した多機能継電器が別置として組み合わせて使用される。
【００２５】
請求項２に記載の受配電設備では、変流比の異なる複数の巻線が変流器に内蔵され、複数のタップが設けられている。そのため、単一の変流器によって広範囲にわたって異常電流を検出することができる。また、タップ切換えスイッチが設けられているため、変流比を容易に変更することができる。つまり、仕様の異なる複数の変流器の中から最適な仕様の変流器を選定する煩わしさを排除することができる。好ましくは、異常電流の検出範囲が異なる複数の巻線が変流器に内蔵され、単一の変流器によって広範囲にわたって異常電流を検出することができるように複数のタップが設けられ、タップ切換えスイッチが遮断器の正面に配置されている。
【００２６】
請求項３に記載の受配電設備では、遮断器と継電器とを接続する接続回路を切断するための回路切換えスイッチが設けられている。そのため、接続回路を切断することにより、遮断器を動作させることなく継電器の動作確認試験を行うことができる。好ましくは、保護継電器の動作確認試験時に遮断器を動作させたくない場合、遮断器と保護継電器とを接続する接続回路が回路切換えスイッチによって切断される。
【００２７】
請求項４に記載の受配電設備では、変流器の設定が変更された場合には、変流器の設定の変更に連動して継電器の設定が変更される。そのため、変流器の設定と継電器の設定とを別個に変更しなければならない煩わしさを排除することができる。好ましくは、タップ切換えスイッチの操作によって変流器の設定が変更された場合には、変流器の設定の変更が電気信号により保護継電器の内部において検知され、変流器の設定の変更に連動して保護継電器の内部の設定が変更される。
【００２８】
請求項５に記載の受配電設備では、継電器の動作確認を行うための試験端子の端子台が、複数端子一体形のコネクタにより構成されている。そのため、１回の操作で全ての端子を容易に着脱することができ、それにより、試験時の配線作業の時間短縮を図ることができる。
【００２９】
請求項６に記載の受配電設備では、タップ切換えスイッチ、回路切換えスイッチ、および、試験端子を覆うためのカバーが設けられている。そのため、タップ切換えスイッチ、回路切換えスイッチ、および、試験端子が誤って操作されてしまうおそれを低減することができる。更に、そのカバーを施錠するための錠が設けられている。そのため、錠を開錠するための鍵を有する特定の者のみがタップ切換えスイッチ、回路切換えスイッチ、および、試験端子を操作できるようにすることができる。好ましくは、カバーは着脱式または開閉式に構成され、錠として例えば南京錠が用いられる。
【００３０】
回路切換えスイッチが回路切断状態になっている時にカバーが閉められて受配電設備の運転が行われると、受配電設備の運転中に例えば事故が起きた場合に、継電器の引外し指令を遮断器に伝達することができず、その結果、遮断器が動作できない事態が生じてしまう点に鑑み、請求項７に記載の受配電設備では、回路切換えスイッチが回路切断状態になっている時にはカバーを閉めることができないように回路切換えスイッチおよびカバーが構成されている。そのため、受配電設備の運転中に継電器の引外し指令を遮断器に伝達することができず、遮断器が動作できない事態が生じてしまうのを回避することができる。好ましくは、回路切換えスイッチが回路切断状態になっている時には、回路切換えスイッチとカバーとが干渉することによりカバーを閉めることができず、受配電設備を運転することができないように回路切換えスイッチおよびカバーが構成されている。
【００３１】
請求項８に記載の受配電設備では、タップ切換えスイッチ、回路切換えスイッチ、試験端子、カバー、および、錠が継電器に配置されている。好ましくは、受配電設備の扉が閉められた状態においてもタップ切換えスイッチ、回路切換えスイッチ、試験端子、カバー、および、錠を確認・操作することができるように、タップ切換えスイッチ、回路切換えスイッチ、試験端子、カバー、および、錠が継電器に配置されている。そのため、受配電設備の扉を開けることなく変流器の設定変更、継電器の確認試験を行うことができる。
【００３２】
位相が関係する有効電力、無効電力等を計測指示する場合には、遮断器の通電方向に対して変流器の極性を合わせる必要がある。一方で、ＣＴが遮断器に内蔵されている場合には、変流器の極性を容易に変更できない。また、遮断器の通電方向を固定すると、使用者の配線を複雑化してしまう。これらの点に鑑み、請求項９に記載の受配電設備では、遮断器の通電方向の設定するための設定手段が継電器に設けられている。好ましくは、複合化した多機能継電器が有する指示電気計器機能に、遮断器の通電方向を設定するための機能が追加されている。そのため、遮断器の通電方向に対して変流器の極性を容易に合わせることができる。詳細には、遮断器の構造を複雑化することなく、また、遮断器の通電方向を限定することなく、有効電力、力率、積算有効電力量、積算無効電力量の計測表示を多機能保護継電器により行うことができる。
【００３３】
請求項１０〜１３に記載の受配電設備では、遮断器の通電方向に対して変流器の極性が反対になっている場合には、継電器の内部において、変流器からの電流信号の極性が反転せしめられる。そのため、継電器の外部において変流器からの電流信号の極性が反転せしめられる場合よりも容易に、遮断器の通電方向に対して変流器の極性を合わせることができる。
【００３４】
請求項１０〜１３に記載の受配電設備では、好ましくは、変流器からの電流信号の極性を反転させるための選択回路が継電器に設けられており、遮断器の通電方向と変流器の極性が同一の場合には、スイッチによって第１回路が選択され、変流器からの信号がそのまま維持され、遮断器の通電方向に対して変流器の極性が反対になっている場合には、スイッチによって第２回路が選択され、オペアンプによって変流器からの信号が反転せしめられる。
【００３５】
請求項１０〜１３に記載の受配電設備では、好ましくは、変流器からの電流信号の極性を反転させるための演算手段が継電器に設けられており、例えば遮断器の通電方向と変流器の極性が同一の場合には、式１によって電力が計算され、遮断器の通電方向に対して変流器の極性が反対になっている場合には、変流器からの電流信号を反転させる（１８０°位相進ませる）ための式２によって電力が計算される。式１および式２において、Ｅは電力、Ｖは電圧、Ｉは電流を示している。
【００３６】
Ｅ＝Ｖ×Ｉ×ｃｏｓθ・・・・・・・・・・・・・・・・・・・・式１
【００３７】
Ｅ＝Ｖ×Ｉ×ｃｏｓ（θ＋１８０°）＝−Ｖ×Ｉ×ｃｏｓθ・・・式２
【発明を実施するための最良の形態】
【００３８】
図１は本発明の受配電設備の第１の実施形態を示した左側面図、図２は図１に示した第１の実施形態の受配電設備の扉の内部を示した正面図、図３は図１に示した第１の実施形態の受配電設備の電気回路図である。図１〜図３において、１は遮断器、２は遮断器１に搭載された変流器、３は遮断器１および変流器２とは別個に配置された例えば保護継電器、多機能保護継電器のような継電器である。４は遮断器１と継電器３とを接続するための接続用電線、５は受配電設備、５−１は受配電設備５の扉である。
【００３９】
１−１は遮断器１と継電器３とを接続するために遮断器１の正面に配置された接続用コネクタ、１−２は遮断器１に配置されたタップ切換えスイッチである。１−３は遮断器１と継電器３とを接続する接続回路を切断するために遮断器１に配置された回路切換えスイッチである。１−５は継電器３の動作確認を行うための試験端子の端子台を構成する複数端子一体形の試験用コネクタである。１−６はタップ切換えスイッチ１−２、回路切換えスイッチ１−３、および、試験用コネクタ１−５を覆うための開閉式または着脱式のカバーである。１−４はカバー１−６を施錠する南京錠を取付けるための南京錠取付け金具である。１−７は制御用コネクタ、１−８はカバー１−６が遮断器１から外れないようにカバー１−６を固定するための固定ねじである。
【００４０】
１−９は遮断部、１−１０は引外しコイル、６は零相変流器、７は零相電圧入力装置、８は変圧器、９は断路器である。
【００４１】
図１に示すように、第１の実施形態の受配電設備５では、変流器２が遮断器１の主回路端子部に固定されている。また、継電器３は、その表面が受配電設備５の扉５−１の外側に露出するように、受配電設備５の扉５−１に取付けて固定されている。そのため、受配電設備５の扉５−１が閉まった状態においても、継電器３の表示部を確認することができ、継電器３の操作部を操作することができる。
【００４２】
図２に示すように、第１の実施形態の受配電設備５では、遮断器１と継電器３とを接続するための接続用コネクタ１−１が、遮断器１の正面に配置されている。また、タップ切換えスイッチ１−２、回路切換えスイッチ１−３、南京錠取付け金具１−４、および、試験用コネクタ１−５も遮断器１の正面に配置されており、これらを覆うカバー１−６が遮断器１から外れないように、固定ねじ１−８によってカバー１−６が固定されている。詳細には、南京錠取付け金具１−４のうち、南京錠を取付けるための穴の部分がカバー１−６の外側に突出するように、南京錠取付け金具１−４は構成されている。
【００４３】
図３に示すように、第１の実施形態の受配電設備５では、例えば多機能保護継電器のような継電器３と遮断器１とが電気的に接続され、タップ切換えスイッチ１−２、回路切換えスイッチ１−３、試験用コネクタ１−５等が遮断器１に内蔵されている。
【００４４】
上述したように、第１の実施形態の受配電設備５では、変流器２が遮断器１に搭載され、遮断器１および変流器２とは別個に継電器３が配置されている。好ましくは、例えば高圧遮断器のような遮断器１に例えば異常電流検出用変流器のような変流器２が搭載され、保護用の過電流継電器または過電流継電器、地絡継電器等と表示用計器、伝送機能などの高圧系統の保護機能として必要な機能を複合化した多機能継電器が別置として組み合わせて使用される。そのため、従来の方式のように遮断器と変流器と継電器とがそれぞれ別々に取付けて固定されるのに伴って機器の選定および取付けに多大な労力がかかってしまうのを回避すると共に、従来の方式のように遮断器と変流器と継電器とが一体化されて受配電設備の内部に配置されるのに伴って受配電設備の操作性が低下してしまうのを回避することができる。
【００４５】
更に、第１の実施形態の受配電設備５では、変流比の異なる複数の巻線（図示せず）が変流器２に内蔵され、複数のタップが設けられている。そのため、単一の変流器２によって広範囲にわたって異常電流を検出することができる。また、タップ切換えスイッチ１−２が設けられているため、変流比を容易に変更することができる。つまり、従来の方式のように仕様の異なる複数の変流器の中から最適な仕様の変流器を選定する煩わしさを排除することができる。更に、図２に示すように、変流器２のタップ切換えスイッチ１−２が遮断器１の正面に配置されているため、変流比の変更を容易に行うことができる。詳細には、異常電流の検出範囲が異なる複数の巻線が変流器２に内蔵され、単一の変流器２によって広範囲にわたって異常電流を検出することができるように複数のタップが設けられ、図１に示すように、タップ切換えスイッチ１−２が遮断器１の正面に配置されている。
【００４６】
また、第１の実施形態の受配電設備５では、図１に示すように、変流器２を搭載した遮断器１が受配電設備５の扉５−１の内部に配置されているが、扉５−１を閉めた状態においても、表示器（図示せず）を確認することができ、設定ツマミ（図示せず）を操作することができるように、例えば保護継電器のような継電器３が受配電設備５の扉５−１に取付けられている。そのため、操作性が向上せしめられている。
【００４７】
更に、第１の実施形態の受配電設備５では、遮断器１と例えば保護継電器のような継電器３とを接続する接続回路を切断するための回路切換えスイッチ１−３が、遮断器１に設けられている。詳細には、継電器３と遮断器１の操作機構との間に設けられている。好ましくは、例えば保護継電器のような継電器３の動作確認試験時に遮断器１を動作させたくない場合、遮断器１と継電器３とを接続する接続回路が回路切換えスイッチ１−３によって切断される。そのため、接続回路を切断することにより、遮断器１を動作させることなく継電器３の動作確認試験を行うことができる。つまり、継電器３からの動作指令が遮断器１に伝達されないようにすることができる。
【００４８】
また、第１の実施形態の受配電設備５では、変流器２の設定が変更された場合には、変流器２の設定の変更に連動して継電器３の設定が変更される。そのため、従来の方式のように変流器の設定と継電器の設定とを別個に変更しなければならない煩わしさを排除することができる。詳細には、タップ切換えスイッチ１−２の操作によって変流器２の設定が変更された場合には、変流器２の設定の変更が電気信号により例えば保護継電器のような継電器３の内部において検知され、変流器２の設定の変更に連動して継電器３の内部の設定が変更される。
【００４９】
更に、第１の実施形態の受配電設備５では、例えば保護継電器のような継電器３の動作確認を行うための試験端子の端子台が、複数端子一体形の試験用コネクタ１−５により構成されている。そのため、１回の操作で全ての端子を容易に着脱することができ、それにより、試験時の配線作業の時間短縮を図ることができる。
【００５０】
また、第１の実施形態の受配電設備５では、タップ切換えスイッチ１−２、回路切換えスイッチ１−３、および、試験用コネクタ１−５を覆うための着脱式または開閉式のカバー１−６が設けられている。そのため、タップ切換えスイッチ１−２、回路切換えスイッチ１−３、および、試験用コネクタ１−５が誤って操作されてしまうおそれを低減することができる。更に、そのカバー１−６を施錠するための南京錠（図示せず）が設けられている。そのため、南京錠を開錠するための鍵を有する特定の者のみがタップ切換えスイッチ１−２、回路切換えスイッチ１−３、および、試験用コネクタ１−５を操作できるようにすることができる。
【００５１】
更に、第１の実施形態の受配電設備５では、回路切換えスイッチ１−３が回路切断状態になっている時にはカバー１−６を閉めることができないように回路切換えスイッチ１−３およびカバー１−６が構成されている。好ましくは、回路切換えスイッチ１−３が回路切断状態になっている時には、回路切換えスイッチ１−３とカバー１−６とが干渉することによりカバー１−６を閉めることができず、受配電設備５を運転することができないように回路切換えスイッチ１−３およびカバー１−６が構成されている。そのため、受配電設備の運転中に継電器の引外し指令を遮断器に伝達することができず、遮断器が動作できない事態が生じてしまうのを回避することができる。
【００５２】
以下、本発明の受配電設備の第２の実施形態について説明する。第２の実施形態の受配電設備は、後述する点でのみ、上述した第１の実施形態の受配電設備５と異なる。従って、上述した第１の実施形態の受配電設備５とほぼ同様の効果を奏することができる。
【００５３】
上述した第１の実施形態の受配電設備５では、タップ切換えスイッチ１−２、回路切換えスイッチ１−３、試験端子、カバー１−６、および、南京錠が遮断器１に配置されているが、第２の実施形態の受配電設備では、タップ切換えスイッチ、回路切換えスイッチ、試験端子、カバー、および、錠が、代わりに、継電器に配置されている。好ましくは、受配電設備の扉が閉められた状態においてもタップ切換えスイッチ、回路切換えスイッチ、試験端子、カバー、および、錠を確認・操作することができるように、タップ切換えスイッチ、回路切換えスイッチ、試験端子、カバー、および、錠が継電器に配置されている。そのため、受配電設備の扉を開けることなく変流器の設定変更、継電器の確認試験を行うことができる。
【００５４】
以下、本発明の受配電設備の第３の実施形態について説明する。第３の実施形態の受配電設備は、後述する点でのみ、上述した第１の実施形態の受配電設備５と異なる。従って、後述する点を除き、上述した第１の実施形態の受配電設備５とほぼ同様の効果を奏することができる。
【００５５】
図４および図５は第３の実施形態の受配電設備の電気回路図である。詳細には、図４は遮断器の通電方向と変流器の極性が合っている場合における接続図を示しており、図５は遮断器の通電方向と変流器の極性が合っていない場合における接続図を示している。図４および図５において、図１〜図３に示した参照番号と同一の参照番号は、図１〜図３に示した部品または部分と同一の部品または部分を示しており、１０は主回路を示している。
【００５６】
第３の実施形態の受配電設備では、遮断器１の通電方向を設定するための設定手段が継電器３に設けられており、図５に示したように遮断器１の通電方向に対して変流器２の極性が反対になっている場合には、継電器３の内部において、変流器２からの電流信号の極性が反転せしめられる。
【００５７】
詳細には、第３の実施形態の受配電設備では、遮断器１の通電方向を設定するための設定手段として、変流器２からの電流信号の極性を反転させるための選択回路が、継電器３に設けられている。
【００５８】
図６は変流器からの電流信号の極性を反転させるための選択回路を示した図である。第３の実施形態の受配電設備では、図６に示すように、遮断器１の通電方向と変流器２の極性が同一の場合には、スイッチＳＷ１によって第１回路１１が選択され、変流器２からの信号がそのまま維持される。一方、遮断器１の通電方向に対して変流器２の極性が反対になっている場合には、スイッチＳＷ１によって第２回路１２が選択され、オペアンプＯＰ１によって変流器２からの信号が反転せしめられる。
【００５９】
第３の実施形態の受配電設備では、上述したように、遮断器１の通電方向の設定するための設定手段が継電器３に設けられており、複合化した多機能継電器３が有する指示電気計器機能に、遮断器１の通電方向を設定するための機能が追加されている。そのため、遮断器１の通電方向に対して変流器２の極性を容易に合わせることができる。詳細には、遮断器１の構造を複雑化することなく、また、遮断器１の通電方向を限定することなく、有効電力、力率、積算有効電力量、積算無効電力量の計測表示を多機能保護継電器３により行うことができる。
【００６０】
更に、第３の実施形態の受配電設備では、上述したように、図５に示したように遮断器１の通電方向に対して変流器２の極性が反対になっている場合には、図６に示したように、継電器３の内部において、変流器２からの電流信号の極性が反転せしめられる。そのため、継電器の外部において変流器からの電流信号の極性が反転せしめられる場合よりも容易に、遮断器１の通電方向に対して変流器２の極性を合わせることができる。
【００６１】
以下、本発明の受配電設備の第４の実施形態について説明する。第４の実施形態の受配電設備は、後述する点でのみ、上述した第３の実施形態の受配電設備と異なる。従って、上述した第３の実施形態の受配電設備とほぼ同様の効果を奏することができる。
【００６２】
第３の実施形態の受配電設備では、変流器からの電流信号の極性を反転させるために図６に示したような選択回路が設けられているが、第４の実施形態の受配電設備では、代わりに、変流器からの電流信号の極性を反転させるために下記の演算が行われる。
【００６３】
詳細には、第４の実施形態の受配電設備では、図４に示したように遮断器１の通電方向と変流器２の極性が同一の場合に、式（Ｅ＝Ｖ×Ｉ×ｃｏｓθ）によって電力が計算される。一方、図５に示したように遮断器１の通電方向に対して変流器２の極性が反対になっている場合には、変流器２からの電流信号を反転させる（１８０°位相進ませる）ための式（Ｅ＝Ｖ×Ｉ×ｃｏｓ（θ＋１８０°）＝−Ｖ×Ｉ×ｃｏｓθ）によって電力が計算される。これらの式において、Ｅは電力、Ｖは電圧、Ｉは電流を示している。
【図面の簡単な説明】
【００６４】
【図１】本発明の受配電設備の第１の実施形態を示した左側面図である。
【図２】図１に示した第１の実施形態の受配電設備の扉の内部を示した正面図である。
【図３】図１に示した第１の実施形態の受配電設備の電気回路図である。
【図４】第３の実施形態の受配電設備の電気回路図である。
【図５】第３の実施形態の受配電設備の電気回路図である。
【図６】変流器からの電流信号の極性を反転させるための選択回路を示した図である。
【符号の説明】
【００６５】
１        遮断器
１−１    接続用コネクタ
１−２    タップ切換えスイッチ
１−３    回路切換えスイッチ
１−４    南京錠取付け金具
１−５    試験用コネクタ
１−６    カバー
１−７    制御用コネクタ
１−８    固定ねじ
１−９    遮断部
１−１０  引外しコイル
２        変流器
３        継電器
４        接続用電線
５        受配電設備
５−１    扉
６        零相変流器
７        零相電圧入力装置
８        変圧器
９        断路器
【図１】
2005210880.tif 000003
【図２】
2005210880.tif 000004
【図３】
2005210880.tif 000005
【図４】
2005210880.tif 000006
【図５】
2005210880.tif 000007
【図６】
2005210880.tif 000008